(57)【特許請求の範囲】
【請求項１】
車両によって牽引されることにより移動が可能な滞在型施設の所有者と、前記滞在型施設の現在の設置場所を示す情報を含んだ前記所有者が所有する前記滞在型施設の情報とを関連付けて記録した滞在型施設情報を記録装置に記録する滞在型施設情報記録手段と、
前記滞在型施設の利用を希望する利用希望者が所持する利用者端末から、前記利用希望者が利用を希望する前記滞在型施設を特定するための情報を受信して、前記利用希望者からの前記滞在型施設の利用契約の申し込みを受け付ける利用契約申し込み受付手段と、
前記利用契約申し込み受付手段によって利用契約の申し込みを受け付けたときに、受信した前記滞在型施設を特定するための情報に基づいて、前記利用希望者が利用を希望する前記滞在型施設を特定する利用希望滞在型施設特定手段と、
前記滞在型施設情報に基づいて、前記利用希望滞在型施設特定手段によって特定された前記滞在型施設の所有者を特定する利用希望施設所有者特定手段と、
前記利用希望施設所有者特定手段によって特定された所有者が所持する所有者端末ヘ利用契約の申し込みに対する承認を要求する利用契約承認要求情報を送信する利用契約承認要求情報送信手段と、
前記所有者端末から、利用契約の申し込みに対して、前記所有者が利用契約の締結に承認したことを示す利用契約承認情報を受信する利用契約承認情報受信手段と、
前記利用契約承認情報受信手段によって前記利用契約承認情報が受信された場合に、利用契約の締結が承認された前記利用希望者を、利用契約の締結が承認された前記滞在型施設の利用者に設定した利用契約情報を記録装置に記録する利用契約情報記録手段と、
前記滞在型施設の優先的な利用を希望する優先利用希望者が所持する優先利用者端末から、前記優先利用希望者が希望する前記滞在型施設の条件が指定された優先利用希望情報を受信して、前記優先利用希望者からの前記滞在型施設の優先利用契約の申し込みを受け付ける優先利用契約申し込み受付手段と、
前記優先利用契約申し込み受付手段によって優先利用契約の申し込みを受け付けたときに、前記滞在型施設情報と前記優先利用希望情報とに基づいて、前記優先利用希望者が希望する条件に合った前記滞在型施設を特定する優先利用希望滞在型施設特定手段と、
前記滞在型施設情報に基づいて、前記優先利用希望滞在型施設特定手段によって特定された前記滞在型施設の所有者を特定する優先利用希望施設所有者特定手段と、
前記優先利用希望施設所有者特定手段によって特定された所有者が所持する所有者端末ヘ優先利用契約の申し込みに対する承認を要求する優先利用契約承認要求情報を送信する優先利用契約承認要求情報送信手段と、
前記所有者端末から、優先利用契約の申し込みに対して、前記所有者が優先利用契約の締結に承認したことを示す優先利用契約承認情報を受信する優先利用契約承認情報受信手段と、
前記優先利用契約承認情報受信手段によって前記優先利用契約承認情報が受信された場合に、優先利用契約の締結が承認された前記滞在型施設の利用者の設定を解除するとともに、優先利用契約の締結が承認された前記優先利用希望者を優先利用者に設定して、前記利用契約情報を更新する利用契約情報更新手段と、
前記優先利用契約承認情報受信手段によって前記優先利用契約承認情報が受信されたときに、前記滞在型施設を前記現在の設置場所から、前記優先利用希望者によって指定された移動先へ牽引するための牽引車両を手配するための手配情報を作成する手配情報作成手段と、
前記手配情報作成手段によって作成された前記手配情報を、前記滞在型施設を牽引するための牽引車両の所有者が所持する牽引車両所有者端末へ送信する手配情報送信手段とを備えることを特徴とする施設利用契約管理装置。
【請求項２】
請求項１に記載の施設利用契約管理装置において、
前記利用契約情報更新手段によって前記利用契約情報が更新されたときに、前記滞在型施設の契約者の設定を解除した利用者が所持する前記利用者端末に対して、前記滞在型施設の契約が解除されたことを通知する契約解除通知手段をさらに備えることを特徴とする施設利用契約管理装置。
【請求項３】
請求項１または２に記載の施設利用契約管理装置において、
前記優先利用希望滞在型施設特定手段は、前記優先利用希望者が希望する条件に合った前記滞在型施設を、前記優先利用希望者が希望する数に加えて予備候補を特定しておき、
前記優先利用契約承認要求情報送信手段は、あらかじめ設定された所定時間が経過しても前記優先利用契約承認情報受信手段によって前記優先利用契約承認情報が受信されない場合、または所有者によって優先利用契約の締結が拒否された場合には、前記優先利用希望滞在型施設特定手段によって特定された前記予備候補の滞在型施設の所有者が所持する所有者端末ヘ前記優先利用契約承認要求情報を再送信することを特徴とする施設利用契約管理装置。
【請求項４】
請求項３に記載の施設利用契約管理装置において、
前記優先利用契約承認要求情報送信手段は、前記優先利用希望者が希望する数の前記滞在型施設に対して前記優先利用契約承認情報を受信するまで、前記再送信を繰り返すことを特徴とする施設利用契約管理装置。
【請求項５】
請求項１〜４のいずれか一項に記載の施設利用契約管理装置において、
前記優先利用希望滞在型施設特定手段は、前記現在の設置場所から前記移動先への移動経路、移動時間、または移動距離の少なくとも１つの情報に基づいて、前記優先利用希望者が希望する条件に合った前記滞在型施設を特定することを特徴とする施設利用契約管理装置。
【請求項６】
請求項１〜５のいずれか一項に記載の施設利用契約管理装置において、
前記利用契約承認情報受信手段によって前記利用契約承認情報が受信されたときに、利用契約の締結が承認された利用希望者の前記利用者端末へ、利用契約の締結が承認されたことを通知する利用契約承認通知手段をさらに備えることを特徴とする施設利用契約管理装置。
【請求項７】
請求項１〜６のいずれか一項に記載の施設利用契約管理装置において、
前記優先利用契約承認情報受信手段によって前記優先利用契約承認情報が受信されたときに、優先利用契約の締結が承認された優先利用希望者の前記優先利用者端末へ、優先利用契約の締結が承認されたことを通知する優先利用契約承認通知手段をさらに備えることを特徴とする施設利用契約管理装置。
【請求項８】
請求項１〜７のいずれか一項に記載の施設利用契約管理装置において、
前記利用希望者は、前記滞在型施設の利用契約の申し込みを行う際に、前記優先利用契約の申し込みがあった場合に前記滞在型施設の利用者の設定を解除する特約に同意するか否かを選択することができ、
前記優先利用希望滞在型施設特定手段は、前記特約に同意した利用者が契約している前記滞在型施設を対象として、前記優先利用希望者が希望する条件に合った前記滞在型施設を特定することを特徴とする施設利用契約管理装置。
【請求項９】
請求項８に記載の施設利用契約管理装置において、
前記所有者からの指示に基づいて、前記利用希望者に前記特約を強制するか、前記利用希望者に前記特約に同意するか否かを選択させるかを、前記滞在型施設ごとに設定する特約選択可否設定手段をさらに備えることを特徴とする施設利用契約管理装置。
【請求項１０】
請求項１〜９のいずれかに記載の利用者端末、請求項１〜９のいずれかに記載の優先利用者端末、請求項１〜９のいずれかに記載の所有者端末、および請求項１〜９のいずれかに記載の牽引車両所有者端末を、請求項１〜９のいずれかに記載の施設利用契約管理装置と通信回線を介して接続した施設利用契約管理システム。
【発明の詳細な説明】
【技術分野】
【０００１】
本発明は、施設利用契約管理装置、および施設利用契約管理システムに関する。
【背景技術】
【０００２】
次のような宿泊予約システムが知られている。この宿泊予約システムでは、オーバーブッキングが発生した場合に、余剰顧客を顧客が納得する条件の施設に案内することを可能にしている（例えば、特許文献１）。
【先行技術文献】
【特許文献】
【０００３】
【特許文献１】特開２００６−２４４２９９号公報
【発明の概要】
【発明が解決しようとする課題】
【０００４】
滞在型施設の利用形態の一つとして、通常時は、一般の利用者との間で契約を締結して、契約者の利用を可能とするとともに、災害発生時等の緊急時には、被災者や被災地を支援する支援団体と優先的に契約を行って、これらの関係者に優先的に利用を認めるといった利用形態が考えられる。しかしながら、従来の宿泊予約システムでは、オーバーブッキングが発生した際に、余剰顧客に別の宿泊施設を案内する技術が存在するのみで、一般の利用者と優先的に利用が認められる利用者とを区別して、優先的に利用が認められる利用者との契約を優先させるための技術については何ら検討されていなかった。
【課題を解決するための手段】
【０００５】
本発明による施設利用契約管理装置は、車両によって牽引されることにより移動が可能な滞在型施設の所有者と、滞在型施設の現在の設置場所を示す情報を含んだ所有者が所有する滞在型施設の情報とを関連付けて記録した滞在型施設情報を記録装置に記録する滞在型施設情報記録手段と、滞在型施設の利用を希望する利用希望者が所持する利用者端末から、利用希望者が利用を希望する滞在型施設を特定するための情報を受信して、利用希望者からの滞在型施設の利用契約の申し込みを受け付ける利用契約申し込み受付手段と、利用契約申し込み受付手段によって利用契約の申し込みを受け付けたときに、受信した滞在型施設を特定するための情報に基づいて、利用希望者が利用を希望する滞在型施設を特定する利用希望滞在型施設特定手段と、滞在型施設情報に基づいて、利用希望滞在型施設特定手段によって特定された滞在型施設の所有者を特定する利用希望施設所有者特定手段と、利用希望施設所有者特定手段によって特定された所有者が所持する所有者端末ヘ利用契約の申し込みに対する承認を要求する利用契約承認要求情報を送信する利用契約承認要求情報送信手段と、所有者端末から、利用契約の申し込みに対して、所有者が利用契約の締結に承認したことを示す利用契約承認情報を受信する利用契約承認情報受信手段と、利用契約承認情報受信手段によって利用契約承認情報が受信された場合に、利用契約の締結が承認された利用希望者を、利用契約の締結が承認された滞在型施設の利用者に設定した利用契約情報を記録装置に記録する利用契約情報記録手段と、滞在型施設の優先的な利用を希望する優先利用希望者が所持する優先利用者端末から、優先利用希望者が希望する滞在型施設の条件が指定された優先利用希望情報を受信して、優先利用希望者からの滞在型施設の優先利用契約の申し込みを受け付ける優先利用契約申し込み受付手段と、優先利用契約申し込み受付手段によって優先利用契約の申し込みを受け付けたときに、滞在型施設情報と優先利用希望情報とに基づいて、優先利用希望者が希望する条件に合った滞在型施設を特定する優先利用希望滞在型施設特定手段と、滞在型施設情報に基づいて、優先利用希望滞在型施設特定手段によって特定された滞在型施設の所有者を特定する優先利用希望施設所有者特定手段と、優先利用希望施設所有者特定手段によって特定された所有者が所持する所有者端末ヘ優先利用契約の申し込みに対する承認を要求する優先利用契約承認要求情報を送信する優先利用契約承認要求情報送信手段と、所有者端末から、優先利用契約の申し込みに対して、所有者が優先利用契約の締結に承認したことを示す優先利用契約承認情報を受信する優先利用契約承認情報受信手段と、優先利用契約承認情報受信手段によって優先利用契約承認情報が受信された場合に、優先利用契約の締結が承認された滞在型施設の利用者の設定を解除するとともに、優先利用契約の締結が承認された優先利用希望者を優先利用者に設定して、利用契約情報を更新する利用契約情報更新手段と、優先利用契約承認情報受信手段によって優先利用契約承認情報が受信されたときに、滞在型施設を現在の設置場所から、優先利用希望者によって指定された移動先へ牽引するための牽引車両を手配するための手配情報を作成する手配情報作成手段と、手配情報作成手段によって作成された手配情報を、滞在型施設を牽引するための牽引車両の所有者が所持する牽引車両所有者端末へ送信する手配情報送信手段とを備えることを特徴とする。
本発明による施設利用契約管理システムは、上記の利用者端末、上記の優先利用者端末、上記の所有者端末、および上記の牽引車両所有者端末を、上記の施設利用契約管理装置と通信回線を介して接続したことを特徴とする。
【発明の効果】
【０００６】
本発明によれば、滞在型施設の所有者が優先利用者との優先利用契約の締結を承認した場合には、既にその滞在型施設の利用者がいたとしても、その利用者との契約を解除して、優先利用者との間で契約を締結することができる。このため、通常時は、一般の利用者との間で契約を締結して、契約者の利用を可能とするとともに、災害発生時等の緊急時には、被災者や被災地を支援する支援団体と優先的に契約を行って、これらの関係者に優先的に利用を認めるといった運用が可能となる。
【図面の簡単な説明】
【０００７】
【図１】施設利用契約管理システム１００の一実施の形態の構成を示すブロック図である。
【図２】施設利用契約管理装置２００の一実施の形態の構成を示すブロック図である。
【図３】施設利用契約管理装置２００で実行される処理の流れを示すフローチャート図である。
【図４】利用契約受付処理の流れを示すフローチャート図である。
【図５】優先利用契約受付処理の流れを示すフローチャート図である。
【発明を実施するための形態】
【０００８】
図１は、本実施の形態における施設利用契約管理システム１００の一実施の形態の構成を示すブロック図である。施設利用契約管理システム１００は、施設利用契約管理装置２００と、所有者端末３００と、利用者端末４００と、優先利用者端末５００とで構成される。
【０００９】
施設利用契約管理装置２００は、施設利用契約管理システム１００を管理する管理装置であって、通信回線を介して接続された所有者端末３００、利用者端末４００、優先利用者端末５００との間でデータの送受信を行う。本実施の形態では、施設利用契約管理システム１００を利用して、車両によって牽引されることにより移動が可能な移動型滞在施設であるトレーラーハウスの契約を管理する場合を想定して、以下の説明を行う。
【００１０】
所有者端末３００は、トレーラーハウスの所有権を有する所有者が操作する端末であって、例えば、スマートフォン、タブレット端末、パソコン等の通信機能を備えた端末が用いられる。所有者端末３００は、無線や有線でインターネットや携帯電話通信網に接続することにより、施設利用契約管理装置２００と通信を行って、施設利用契約管理装置２００との間でデータの送受信を行う。
【００１１】
利用者端末４００は、トレーラーハウスの利用を希望する一般的なユーザが操作する端末であって、例えば、スマートフォン、タブレット端末、パソコン等の通信機能を備えた端末が用いられる。利用者端末４００は、無線や有線でインターネットや携帯電話通信網に接続することにより、施設利用契約管理装置２００と通信を行って、施設利用契約管理装置２００との間でデータの送受信を行う。
【００１２】
優先利用者端末５００は、トレーラーハウスの優先的な利用を希望するユーザが操作する端末であって、例えば、スマートフォン、タブレット端末、パソコン等の通信機能を備えた端末が用いられる。優先利用者端末５００は、無線や有線でインターネットや携帯電話通信網に接続することにより、施設利用契約管理装置２００と通信を行って、施設利用契約管理装置２００との間でデータの送受信を行う。
【００１３】
なお、図１では、施設利用契約管理システム１００は、それぞれ１台の施設利用契約管理装置２００、所有者端末３００、利用者端末４００、優先利用者端末５００で構成される例を示しているが施設利用契約管理システム１００の構成はこれに限定されない。例えば、複数の施設利用契約管理装置２００で処理を分散させるようにしてもよい。また、所有者端末３００、利用者端末４００、優先利用者端末５００の数は特に限定されるものではない。
【００１４】
本実施の形態では、トレーラーハウスの利用を希望する一般的なユーザを利用希望者、利用希望者のうちトレーラーハウスの所有者との間でトレーラーハウスの利用契約を締結したユーザを利用者、トレーラーハウスの優先的な利用を希望するユーザを優先利用希望者、優先利用希望者のうちトレーラーハウスの所有者との間でトレーラーハウスの優先利用契約を締結したユーザを優先利用者と呼んで、それぞれのユーザを区別する。
【００１５】
図２は、本実施の形態における施設利用契約管理装置２００としてサーバ装置を用いた場合の一実施の形態の構成を示すブロック図である。施設利用契約管理装置２００は、操作部材２０１と、接続ＩＦ（インターフェース）２０２と、制御装置２０３と、記録装置２０４とを備えている。
【００１６】
操作部材２０１は、施設利用契約管理装置２００の操作者によって操作される種々の装置、例えばキーボードやマウスを含む。
【００１７】
接続ＩＦ２０２は、施設利用契約管理装置２００を通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、施設利用契約管理装置２００は、接続ＩＦ２０２を介して所有者端末３００、利用者端末４００、優先利用者端末５００と通信を行う。
【００１８】
制御装置２０３は、ＣＰＵ、メモリ、およびその他の周辺回路によって構成され、施設利用契約管理装置２００の全体を制御する。なお、制御装置２０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ２０２を介して読み込まれたデータは、バッファメモリに一時的に記録される。
【００１９】
記録装置２０４は、施設利用契約管理装置２００が蓄える種々のデータや、制御装置２０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置２０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置２０４にインストールすることによって、制御装置２０３がプログラムを実行できるようになる。
【００２０】
本実施の形態では、トレーラーハウスの所有者は、所有者端末３００を操作して、自身が所有権を有しているトレーラーハウスに関する情報をあらかじめ施設利用契約管理装置２００に登録しておくことにより、施設利用契約管理システム１００を利用して、利用希望者や優先利用希望者からの利用申し込みを受け付けることができる。このために、所有者は、まず、所有者端末３００を操作して施設利用契約管理装置２００にアクセスし、トレーラーハウスの所有者としての登録を行う。
【００２１】
例えば、所有者は、所有者端末３００を操作して施設利用契約管理装置２００に開設されている所有者登録サイトへアクセスし、表示される所有者登録画面上で必要事項を入力することにより、所有者登録を行うことができる。所有者端末３００の制御装置は、所有者登録画面上で入力された所有者登録情報を施設利用契約管理装置２００へ送信して、所有者の登録を要求する。
【００２２】
なお、所有者登録画面を表示させるためのアクセス先は、所有者が直接、所有者登録画面表示用のアドレスを指定しても良いし、メニューページへアクセスして、該メニューページ上に貼られたリンクから所有者登録画面を呼び出して表示させるようにしてもよい。あるいは、制御装置２０３が所有者端末３００へ所有者登録画面にアクセスするためのリンク情報を記載したメールを送信し、所有者がメールに記載されたリンク情報をクリックすると所有者登録画面が表示されるようにしてもよい。また、以下の説明では、所有者端末３００、利用者端末４００、優先利用者端末５００から施設利用契約管理装置２００へアクセスして、各端末上に種々の画面を表示させる例について記載するが、各画面の表示方法も上記の方法と同様にすればよい。
【００２３】
所有者が所有者登録画面上で入力する所有者登録情報としては、所有者の名前、住所、電話番号、メールアドレス、施設利用契約管理システム１００へのログイン時に用いるパスワード等の情報が含まれる。なお、所有者の名前は、所有者が法人である場合には法人名、個人である場合には個人名となる。
【００２４】
制御装置２０３は、所有者端末３００から所有者登録情報を受信すると、所有者を一意に識別するための情報、例えば所有者ＩＤを発行し、該所有者ＩＤと所有者登録情報とを関連付けた所有者情報を記録装置２０４に記録する。また、制御装置２０３は、所有者情報に含まれるメールアドレスに宛てて、所有者登録が完了した旨を通知するためのメールを送信する。このメールに、発行した所有者ＩＤと所有者情報に含まれるパスワードを記載しておけば、所有者は、次回以降は、この所有者ＩＤとパスワードを用いて施設利用契約管理システム１００にログインすることができる。
【００２５】
所有者は、所有者登録を行った後は、上記所有者ＩＤとパスワードを用いて施設利用契約管理システム１００にログインした上で、施設利用契約管理システム１００を介して利用希望者の募集を行うトレーラーハウスの登録を行う。なお、所有者ＩＤとパスワードを用いたログイン処理は、公知の処理であるため詳細な説明を省略するが、例えば、所有者端末３００の制御装置は、モニタ上にログイン画面を表示させ、該ログイン画面上で所有者によって入力された所有者ＩＤとパスワードの組を施設利用契約管理装置２００へ送信する。施設利用契約管理装置２００では、制御装置２０３は、記録装置２０４に記録されている所有者情報内に、所有者端末３００から受信した所有者ＩＤとパスワードの組と同じものが存在するかをチェックし、同じものが存在すれば認証ＯＫとして、所有者端末３００によるログインを認めるようにすればよい。
【００２６】
所有者は、ログイン後に自身が所有権を有するトレーラーハウスに関する情報の登録を行う。例えば、トレーラーハウスの所有者は、所有者端末３００を操作して表示装置にトレーラーハウスに関する情報の登録画面を表示させ、該登録画面上で、トレーラーハウスのタイプ、広さ、現在の設置場所、利用料といった利用希望者や優先利用希望者に公開することが好ましい種々の情報を入力する。所有者端末３００の制御装置は、所有者によって入力されたトレーラーハウスに関する情報にログイン時に用いられた所有者ＩＤを含めて、施設利用契約管理装置２００へ送信する。
【００２７】
施設利用契約管理装置２００では、制御装置２０３は、所有者端末３００からトレーラーハウスに関する情報を受信すると、トレーラーハウスを一意に特定するための情報、例えばトレーラーハウスＩＤを発行し、受信したトレーラーハウスに関する情報とトレーラーハウスＩＤとを関連付けたトレーラーハウス情報を記録装置２０４に記録する。これによって、所有者は、施設利用契約管理装置２００に自身が所有するトレーラーハウスのトレーラーハウス情報を登録することができる。
【００２８】
なお、上述した登録画面上で入力されるトレーラーハウスのタイプは、事務所用、店舗用、住居用などのトレーラーハウスの用途を特定するための情報である。また、上述した登録画面上で入力される情報は一例であって、これに限定されるものではない。例えば、トレーラーハウスが太陽光パネルや蓄電池といった発電及び蓄電設備を有しているか否かといった情報や、トレーラーハウスの外観や室内の画像情報等も登録できるようにしてもよい。
【００２９】
所有者によって登録されたトレーラーハウス情報は、利用希望者や優先利用希望者が、利用者端末４００や優先利用者端末５００を介して閲覧することができる。ここで、本実施の形態における利用希望者と優先利用希望者について説明する。
【００３０】
利用希望者は、トレーラーハウスへの滞在を希望する一般的な利用希望者であって、所有者との間で、トレーラーハウスの利用契約を締結することにより、トレーラーハウスの利用が許可されると利用者となる。トレーラーハウスの利用契約としては、契約期間応じた賃借料を支払う賃貸契約等が想定される。また、利用者と所有者との間で取り交わされた契約の内容には、そのトレーラーハウスに対する優先利用希望者が現れた際に、所有者が優先利用希望者にトレーラーハウスの利用を認めた場合には、利用者との間の契約を解除して、優先利用希望者と契約を締結することに同意する旨の契約事項が含まれている。
【００３１】
優先利用希望者は、災害時や緊急時に優先的にトレーラーハウスの利用が認められることが好ましい団体や人物、例えば、災害救護団体、医師、看護師、行政機関などが想定される。優先利用希望者が災害救護団体である場合には、災害が発生した場合に団体の構成員を被災地へ派遣するに当たり、現地で滞在場所、宿泊場所、または事務所として利用する滞在型施設を確保するために、移動可能なトレーラーハウスを利用することができる。これによって、優先利用希望者は、災害発生時に、被害を受けていないトレーラーハウスを被災地へ移動させて現地で利用することができる。このとき、トレーラーハウスが上述したように太陽光パネルや蓄電池といった発電及び蓄電のための設備を有していれば、ライフラインが復旧する前でも被災地での救援活動を円滑に行うことが可能となる。
【００３２】
優先利用希望者が優先的にトレーラーハウスの利用を希望する必要がないとき、すなわち通常時には、制御装置２０３は、一般の利用希望者からのトレーラーハウスの利用申し込みを以下の処理によって受け付ける。
【００３３】
利用希望者は、利用者端末４００を操作して、施設利用契約管理装置２００に登録されているトレーラーハウスの検索を行うことができる。例えば、利用希望者は、利用者端末４００上でトレーラーハウスの検索画面を表示させ、検索画面上で利用したいトレーラーハウスの条件を検索条件として入力して検索実行を指示することにより、トレーラーハウスの検索を行うことができる。検索条件としては、上述したトレーラーハウス情報に含まれるトレーラーハウスのタイプ、広さ、利用料などを指定できるものとする。
【００３４】
利用希望者によって検索実行が指示されると、利用者端末４００の制御装置は、利用希望者によって指定された検索条件を施設利用契約管理装置２００へ送信する。施設利用契約管理装置２００では、制御装置２０３は、記録装置２０４に記録されているトレーラーハウス情報の中から、利用者端末４００から受信した検索条件にマッチするトレーラーハウス情報を読み出して、利用者端末４００へ送信する。これによって、利用者端末４００の表示装置上に検索結果として抽出されたトレーラーハウス情報が一覧表示され、利用希望者は、その中から利用契約の申し込みを希望するトレーラーハウスを選択することができる。
【００３５】
利用希望者によって利用契約の申し込みを希望するトレーラーハウスが選択されると、利用者端末４００の制御装置は、選択されたトレーラーハウスのトレーラーハウスＩＤを利用希望情報として施設利用契約管理装置２００へ送信して、トレーラーハウスの利用契約の申し込みを行う。
【００３６】
施設利用契約管理装置２００では、制御装置２０３は、利用者端末４００から受信した利用希望情報に含まれるトレーラーハウスＩＤに基づいて、利用希望者が利用を希望しているトレーラーハウスを特定するとともに、特定したトレーラーハウスのトレーラーハウス情報に基づいて、そのトレーラーハウスの所有者を特定する。そして、制御装置２０３は、特定した所有者の所有者端末３００へ利用契約承認要求情報を送信して、所有者に利用希望者からトレーラーハウスの利用契約の申し込みがあったことを通知するとともに、申し込みに対する承認を要求する。例えば、制御装置２０３は、特定した所有者の所有者情報に基づいて、トレーラーハウスの所有者のメールアドレスを特定し、特定したメールアドレスに宛てて、利用希望者からトレーラーハウスの利用契約の申し込みがあったことを通知するための利用契約承認要求情報を送信する。この利用契約承認要求情報には、所有者が利用希望者との間の利用契約の締結に承認するか否かを選択するための情報として、例えば承認ボタンと拒否ボタンが含まれる。
【００３７】
所有者は、所有者端末３００でこのメールを受信して、利用希望者からの利用契約の申し込みに承認するか否かを決定する。所有者がメール内の承認ボタンをクリックした場合には、所有者端末３００の制御装置は、所有者が利用契約の締結に承認したことを示す利用契約承認情報を施設利用契約管理装置２００へ送信する。一方、所有者がメール内の拒否ボタンをクリックした場合には、所有者端末３００の制御装置は、所有者が利用契約の締結を拒否したことを示す利用契約拒否情報を施設利用契約管理装置２００へ送信する。
【００３８】
施設利用契約管理装置２００では、制御装置２０３は、所有者端末３００から利用契約承認情報を受信した場合には、利用契約の締結が承認された利用希望者を、利用契約の締結が承認されたトレーラーハウスの利用者に設定し、その設定内容を示す利用契約情報を記録装置２０４に記録する。例えば、制御装置２０３は、利用者に対して、利用者を一意に特定するための情報である利用者ＩＤを発行し、利用者ＩＤと、利用契約の締結が承認されたトレーラーハウスのトレーラーハウスＩＤと、利用契約期間など、契約内容を特定するための情報を利用契約情報として記録する。また、制御装置２０３は、所有者によって利用契約の締結が承認されたことを示す情報を利用者端末４００へ送信する。これによって、利用希望者は、自身の利用契約の申し込みに対して、所有者が承認したことを把握することができる。その後、利用希望者と所有者との間で正式にトレーラーハウスの利用契約が締結されると、利用希望者は、そのトレーラーハウスの利用者として、トレーラーハウスに滞在することが可能となる。
【００３９】
一方、制御装置２０３は、所有者端末３００から利用契約拒否情報を受信した場合には、所有者によって利用契約の締結が拒否されたことを示す情報を利用者端末４００へ送信する。この場合、利用希望者は、改めてトレーラーハウスの検索を行って、利用契約の申し込みをやり直すことになる。
【００４０】
次に、優先利用希望者が優先的にトレーラーハウスの利用を希望する必要が生じたとき、すなわち緊急時には、制御装置２０３は、優先利用希望者からのトレーラーハウスの利用申し込みを以下の処理によって受け付ける。
【００４１】
優先利用希望者は、優先利用者端末５００を操作して、優先利用希望者が利用を希望するトレーラーハウスの条件を指定する。優先利用希望者は、例えば、表示装置上に表示された希望条件入力画面上で、優先利用希望者が必要とするトレーラーハウスの台数、利用時のトレーラーハウスの設置場所、トレーラーハウスの利用目的等の希望するトレーラーハウスの条件を指定する。優先利用者端末５００の制御装置は、優先利用希望者によって入力されたトレーラーハウスの条件を示す優先利用希望情報を施設利用契約管理装置２００へ送信して、トレーラーハウスの優先利用契約の申し込みを行う。
【００４２】
施設利用契約管理装置２００では、制御装置２０３は、優先利用者端末５００から優先利用希望情報を受信すると、記録装置２０４に記録されているトレーラーハウス情報と、優先利用希望情報により特定されるトレーラーハウスの条件とに基づいて、優先利用希望者が希望する条件に合ったトレーラーハウスを特定する。一例を挙げると、トレーラーハウスの条件において、利用目的が「事務所用」と指定されている場合には、トレーラーハウス情報において、トレーラーハウスの利用目的が「事務所用」と登録されているトレーラーハウスが条件にマッチするものとして抽出される。また、トレーラーハウスの条件において、利用時のトレーラーハウスの設置場所が指定されている場合には、トレーラーハウス情報に登録されている現在の設置場所と利用時のトレーラーハウスの設置場所とを加味して、優先利用希望者が希望する条件に合ったトレーラーハウスが特定される。この場合、制御装置２０３は、現在の設置場所と利用時の設置場所の移動距離が最短となるもの、現在の設置場所から利用時の設置場所への移動時間が最短となるもの、または現在の設置場所から利用時の移動場所までの移動経路にトレーラーハウスの牽引に適さない道路を含まないものなど、あらかじめ設定されたアルゴリズムに基づいて、抽出するトレーラーハウスを検索する。
【００４３】
制御装置２０３は、トレーラーハウスの条件として指定されたトレーラーハウスの台数を満たすまで、条件に合ったトレーラーハウスの特定を繰り返す。制御装置２０３は、特定したトレーラーハウスの所有者が優先利用の契約締結を拒否した場合や所有者から応答がない場合を想定して、さらに少なくとも１つのトレーラーハウスを予備候補として特定しておく。制御装置２０３は、条件として指定された台数分のトレーラーハウスのトレーラーハウス情報に基づいて、それらのトレーラーハウスの所有者を特定する。そして、制御装置２０３は、特定した所有者の所有者端末３００へ優先利用契約承認要求情報を送信して、優先利用希望者からトレーラーハウスの利用契約の申し込みがあったことを通知するとともに、申し込みに対する承認を要求する。例えば、制御装置２０３は、特定した所有者の所有者情報に基づいて、該所有者のメールアドレスを特定し、特定したメールアドレスに宛てて、優先利用希望者からトレーラーハウスの利用契約の申し込みがあったことを通知する優先利用契約承認要求情報を送信する。この優先利用契約承認要求情報には、所有者が優先利用希望者との間の優先利用契約の締結に承認するか否かを選択するための情報として、例えば承認ボタンと拒否ボタンが含まれる。
【００４４】
所有者は、所有者端末３００でこのメールを受信して、優先利用希望者からの優先利用契約の申し込みに承認するか否かを決定する。所有者がメール内の承認ボタンをクリックした場合には、所有者端末３００の制御装置は、所有者が優先利用契約の締結に承認したことを示す優先利用契約承認情報を施設利用契約管理装置２００へ送信する。一方、所有者がメール内の拒否ボタンをクリックした場合には、所有者端末３００の制御装置は、所有者が優先利用契約の締結を拒否したことを示す優先利用契約拒否情報を施設利用契約管理装置２００へ送信する。
【００４５】
施設利用契約管理装置２００では、制御装置２０３は、所有者端末３００から優先利用契約承認情報を受信した場合には、記録装置２０４に記録されている利用契約情報を参照して、優先利用契約の締結が承認されたトレーラーハウスに、既に利用契約が締結された利用者が存在するか否かを判断する。その結果、利用契約が締結された利用者が存在しない場合には、制御装置２０３は、所有者によって優先利用契約が承認された優先利用希望者をそのトレーラーハウスの優先利用者に設定し、その設定内容を示す利用契約情報を記録装置２０４に記録する。一方、既に利用契約が締結された利用者が存在する場合には、制御装置２０３は、そのトレーラーハウスに対する利用者の設定を解除するとともに、優先利用契約の締結が承認された優先利用希望者を優先利用者に設定して、利用契約情報を更新する。
【００４６】
この場合も、制御装置２０３は、例えば、優先利用者に対して、優先利用者を一意に特定するための情報である優先利用者ＩＤを発行し、優先利用者ＩＤと、優先利用契約の締結が承認されたトレーラーハウスのトレーラーハウスＩＤと、優先利用の契約期間など、優先利用契約の内容を特定するための情報を利用契約情報として記録する。また、制御装置２０３は、所有者によって優先利用契約の締結が承認されたことを示す情報を優先利用者端末５００へ送信する。これによって、優先利用希望者は、自身の優先利用契約の申し込みに対して、所有者が承認したことを把握することができる。その後、優先利用希望者と所有者との間で正式にトレーラーハウスの優先利用契約が締結されると、優先利用希望者は、そのトレーラーハウスの優先利用者として、トレーラーハウスに滞在することが可能となる。
【００４７】
また、制御装置２０３は、優先利用契約が締結されたトレーラーハウスに対する利用者の設定を解除して利用契約情報を更新した場合には、設定を解除した利用者が所持する利用者端末４００に対して、トレーラーハウスの利用契約が解除されたこと示す情報を送信する。これによって、一般の利用者は、緊急事態の発生に伴って優先利用者が優先的にトレーラーハウスを利用する必要が生じたことにより、自身の利用契約が解除されたことを把握することができる。
【００４８】
一方、制御装置２０３は、所有者端末３００から優先利用契約拒否情報を受信した場合や、あらかじめ設定された所定時間が経過しても所有者端末３００から優先利用契約承認情報および優先利用契約拒否情報を受信しない場合には、上述した処理で予備候補として特定しておいたトレーラーハウスの所有者を改めて選択し、その所有者の所有者端末３００へ、上述した優先利用契約承認要求情報を送信する。
【００４９】
その後、制御装置２０３は、改めて優先利用契約承認要求情報を送信した所有者端末３００からの優先利用契約承認情報または優先利用契約拒否情報の受信を待ち、受信した情報に応じて、上述した処理を行う。制御装置２０３は、最終的に条件として指定された台数分のトレーラーハウスについて優先利用契約が承認されるまで、上記処理を繰り返す。これによって、制御装置２０３は、優先利用希望者が希望する台数分のトレーラーハウスを確保することができる。
【００５０】
制御装置２０３は、所有者端末３００から優先利用契約承認情報を受信したときに、トレーラーハウスを現在の設置場所から移動先、すなわち優先利用者が希望する設置場所へ牽引するための牽引車両の手配を行う。具体的には、制御装置２０３は、現在の設置場所、移動先、移動予定日、移動対象のトレーラーハウスといった、トレーラーハウスの牽引に必要な情報を含んだ手配情報を作成し、作成した手配情報をトレーラーハウスを牽引するための牽引車両の所有者が所持する牽引車両所有者端末へ送信する。これによって、トレーラーハウスを移動先へ移動させるための牽引車両の手配を自動的に行うことができる。
【００５１】
図３は、本実施の形態において、施設利用契約管理装置２００で実行される処理の流れを示すフローチャートである。図３に示す処理は、施設利用契約管理装置２００の電源がオンされると起動するプログラムとして、制御装置２０３によって実行される。なお、ここでは、上述した所有者情報とトレーラーハウス情報は、あらかじめ登録されて記録装置２０４に記録されているものとする。
【００５２】
ステップＳ１では、制御装置２０３は、図４に示す利用契約受付処理を実行する。その後、ステップＳ２へ進み、制御装置２０３は、図５に示す優先利用契約受付処理を実行する。その後、ステップＳ３へ進む。
【００５３】
ステップＳ３では、制御装置２０３は、施設利用契約管理装置２００の電源のオフが指示されたか否かを判断する。ステップＳ３で否定判断した場合には、ステップＳ１へ戻る。これに対して、ステップＳ３で肯定判断した場合には、処理を終了する。
【００５４】
図４を用いて、ステップＳ１で実行される利用契約受付処理について説明する。ステップＳ１０において、制御装置２０３は、利用者端末４００から上述したトレーラーハウスの検索条件を受信したか否かを判断する。ステップＳ１０で否定判断した場合には、図３に示す処理に復帰する。これに対して、ステップＳ１０で肯定判断した場合には、ステップＳ２０へ進む。
【００５５】
ステップＳ２０では、制御装置２０３は、利用者端末４００から受信した検索条件にマッチするトレーラーハウス情報を記録装置２０４から読み出して、利用者端末４００へ送信する。その後、ステップＳ３０へ進む。
【００５６】
ステップＳ３０では、制御装置２０３は、利用者端末４００から上述した利用希望情報を受信したか否かを判断する。ステップＳ３０で否定判断した場合には、図３に示す処理に復帰する。これに対して、ステップＳ３０で肯定判断した場合には、ステップＳ４０へ進む。
【００５７】
ステップＳ４０では、制御装置２０３は、利用者端末４００から受信した利用希望情報に含まれるトレーラーハウスＩＤに基づいて、利用希望者が利用を希望しているトレーラーハウスを特定するとともに、特定したトレーラーハウスのトレーラーハウス情報に基づいて、そのトレーラーハウスの所有者を特定する。その後、ステップＳ５０へ進む。
【００５８】
ステップＳ５０では、制御装置２０３は、ステップＳ４０で特定した所有者の所有者端末３００へ、上述した利用契約承認要求情報を送信する。その後、ステップＳ６０へ進む。
【００５９】
ステップＳ６０では、制御装置２０３は、所有者端末３００から上述した利用契約承認情報を受信したか否かを判断する。ステップＳ６０で肯定判断した場合には、ステップＳ７０へ進む。
【００６０】
ステップＳ７０では、制御装置２０３は、所有者によって利用契約の締結が承認された利用希望者を、利用契約の締結が承認されたトレーラーハウスの利用者に設定し、その設定内容を示す利用契約情報を記録装置２０４に記録する。その後、ステップＳ８０へ進む。
【００６１】
ステップＳ８０では、制御装置２０３は、所有者によって利用契約の締結が承認されたことを示す情報を利用者端末４００へ送信する。その後、図３に示す処理に復帰する。
【００６２】
一方、ステップＳ６０で否定判断した場合、すなわち所有者端末３００から上述した利用契約拒否情報を受信した場合には、ステップＳ９０へ進む。ステップＳ９０では、制御装置２０３は、所有者によって利用契約の締結が拒否されたことを示す情報を利用者端末４００へ送信する。その後、図３に示す処理に復帰する。
【００６３】
次に、図５を用いて、ステップＳ２で実行される優先利用契約受付処理について説明する。ステップＳ１００において、制御装置２０３は、優先利用者端末５００から上述した優先利用希望情報を受信したか否かを判断する。ステップＳ１００で否定判断した場合には、図３に示す処理に復帰する。これに対して、ステップＳ１００で肯定判断した場合には、ステップＳ１１０へ進む。
【００６４】
ステップＳ１１０では、制御装置２０３は、上述したように、記録装置２０４に記録されているトレーラーハウス情報と、優先利用希望情報により特定されるトレーラーハウスの条件とに基づいて、優先利用希望者が希望する条件に合ったトレーラーハウスを上述した予備候補も含めて特定する。その後、ステップＳ１２０へ進む。
【００６５】
ステップＳ１２０では、制御装置２０３は、ステップＳ１１０で特定した複数のトレーラーハウスのうち、優先利用希望者によってトレーラーハウスの条件として指定された台数分のトレーラーハウスを対象として、それらのトレーラーハウス情報に基づいてトレーラーハウスの所有者を特定する。その後、ステップＳ１３０へ進む。
【００６６】
ステップＳ１３０では、制御装置２０３は、ステップＳ１２０で特定した所有者の所有者端末３００へ、上述した優先利用契約承認要求情報を送信する。その後、ステップＳ１４０へ進む。
【００６７】
ステップＳ１４０では、制御装置２０３は、所有者端末３００から優先利用契約承認情報を受信したか否かを判断する。ステップＳ１４０で否定判断した場合、すなわち所有者端末３００から上述した優先利用契約拒否情報を受信した場合、またはあらかじめ設定された所定時間が経過しても所有者端末３００から優先利用契約承認情報および優先利用契約拒否情報を受信しない場合には、ステップＳ１９０へ進む。
【００６８】
ステップＳ１９０では、制御装置２０３は、ステップＳ１１０で予備候補として特定しておいたトレーラーハウスの所有者を特定して、ステップＳ１３０へ戻る。
【００６９】
一方、ステップＳ１４０で肯定判断した場合には、ステップＳ１５０へ進む。ステップＳ１５０では、制御装置２０３は、優先利用契約の締結が承認された優先利用希望者を優先利用者に設定して利用契約情報を記録する。このとき、上述したように、制御装置２０３は、優先利用契約の締結が承認されたトレーラーハウスに既に利用契約が締結された利用者が存在する場合には、そのトレーラーハウスに対する利用者の設定を解除した上で優先利用契約の締結が承認された優先利用希望者を優先利用者に設定し、利用契約情報を更新する。その後、ステップＳ１６０へ進む。
【００７０】
ステップＳ１６０では、制御装置２０３は、所有者によって優先利用契約の締結が承認されたことを示す情報を優先利用者端末５００へ送信する。その後、ステップＳ１７０へ進む。
【００７１】
ステップＳ１７０では、制御装置２０３は、優先利用契約が締結されたトレーラーハウスに対する利用者の設定を解除して利用契約情報を更新した場合には、設定を解除した利用者が所持する利用者端末４００に対して、トレーラーハウスの利用契約が解除されたこと示す情報を送信する。その後、ステップＳ１８０へ進む。
【００７２】
ステップＳ１８０では、制御装置２０３は、優先利用契約が承認されたトレーラーハウスの台数が、優先利用希望者によって条件として指定された台数に到達したか否かを判断する。ステップＳ１８０で否定判断した場合には、ステップＳ１４０へ戻る。これに対して、ステップＳ１８０で肯定判断した場合には、ステップＳ２００へ進む。
【００７３】
ステップＳ２００では、制御装置２０３は、トレーラーハウスを現在の設置場所から優先利用者が希望する設置場所へ牽引するために、牽引車両の手配を行うための手配情報を作成する。その後、ステップＳ２１０へ進む。
【００７４】
ステップＳ２１０では、制御装置２０３は、ステップＳ２００で作成した手配情報をトレーラーハウスを牽引するための牽引車両の所有者が所持する牽引車両所有者端末へ送信する。その後、図３に示す処理に復帰する。
【００７５】
以上説明した本実施の形態によれば、以下のような作用効果を得ることができる。
（１）制御装置２０３は、トレーラーハウスの所有者ＩＤと、その所有者が所有するトレーラーハウスに関連する情報およびトレーラーハウスＩＤとを関連付けたトレーラーハウス情報を記録装置２０４に記録し、利用者端末４００から、利用希望者が利用を希望するトレーラーハウスＩＤを含んだ利用希望情報を受信して、利用希望者からのトレーラーハウスの利用契約の申し込みを受け付ける。そして、制御装置２０３は、利用契約の申し込みを受け付けたときに、受信した利用希望情報に含まれるトレーラーハウスＩＤに基づいて、利用希望者が利用を希望しているトレーラーハウスを特定するとともに、特定したトレーラーハウスのトレーラーハウス情報に基づいて、そのトレーラーハウスの所有者を特定し、特定した所有者の所有者端末３００へ利用契約承認要求情報を送信して、所有者に利用契約の申し込みに対する承認を要求するようにし、所有者端末３００から、利用契約の申し込みに対して、所有者が利用契約の締結に承認したことを示す利用契約承認情報を受信した場合には、利用契約の締結が承認された利用希望者を、利用契約の締結が承認されたトレーラーハウスの利用者に設定した利用契約情報を記録装置２０４に記録するようにした。また、制御装置２０３は、優先利用者端末５００から、優先利用希望者が希望するトレーラーハウスの条件が指定された優先利用希望情報を受信して優先利用希望者からのトレーラーハウスの優先利用契約の申し込みを受け付けたときに、トレーラーハウス情報と優先利用希望情報とに基づいて、優先利用希望者が希望する条件に合ったトレーラーハウスを特定するとともに、それらのトレーラーハウスの所有者を特定し、特定した所有者が所持する所有者端末３００ヘ優先利用契約の申し込みに対する承認を要求する優先利用契約承認要求情報を送信するようにした。そして、制御装置２０３は、所有者端末３００から、優先利用契約の申し込みに対して、所有者が優先利用契約の締結に承認したことを示す優先利用契約承認情報を受信した場合には、優先利用契約の締結が承認されたトレーラーハウスの利用者の設定を解除するとともに、優先利用契約の締結が承認された優先利用希望者を優先利用者に設定して、利用契約情報を更新するようにした。これによって、トレーラーハウスの所有者が優先利用者との優先利用契約の締結を承認した場合には、既にそのトレーラーハウスの利用者がいたとしても、その利用者との契約を解除して、優先利用者との間で契約を締結することができる。このため、通常時は、一般の利用者との間で契約を締結して、契約者の利用を可能とするとともに、災害発生時等の緊急時には、被災者や被災地を支援する支援団体と優先的に契約を行って、指定された移動場所へトレーラーハウスを移動させ、これらの関係者に優先的に利用を認めるといった利用形態をとることが可能となる。
【００７６】
（２）制御装置２０３は、所有者によって優先利用契約の締結が承認され、利用契約情報を更新したときに、トレーラーハウスの契約者としての設定が解除された利用者の利用者端末４００に対して、トレーラーハウスの利用契約が解除されたこと示す情報を送信するようにした。これによって、利用者は、優先利用者が優先的にトレーラーハウスを利用する必要が生じたことにより、自身の利用契約が解除されたことを把握することができる。
【００７７】
（３）制御装置２０３は、優先利用希望者が希望する条件に合ったトレーラーハウスを、優先利用希望者が希望する数に加えて予備候補を特定しておき、あらかじめ設定された所定時間が経過しても優先利用契約承認情報を受信しない場合や、優先利用契約拒否情報を受信した場合には、予備候補のトレーラーハウスの所有者が所持する所有者端末３００ヘ優先利用契約承認要求情報を再送信するようにし、これを優先利用希望者が希望する台数が確保できるまで繰り返すようにした。これによって、所有者が優先利用の契約締結に応じなかった場合でも、優先利用希望者が希望する台数分のトレーラーハウスを確保することができる。
【００７８】
（４）滞在型施設として、車両によって牽引可能なトレーラーハウスを用いるようにした。このため、緊急時に容易に設置場所を移動することができ、移動先でもすぐに利用を開始することができる。また、建物の賃貸借においては、借家法で即時解除が禁止されているが、トレーラーハウスは、建物ではないため借家法の制約を受けず、上述したように、あらかじめ利用者との間で締結する契約に、即時解約の特約を付すことが可能となる。
【００７９】
（５）トレーラーハウス情報には、トレーラーハウスの現在の設置場所の情報を含み、優先利用希望者が希望するトレーラーハウスの条件には、利用時のトレーラーハウスの設置場所の情報を含むようにした。そして、制御装置２０３は、トレーラーハウスの現在の設置場所と利用時のトレーラーハウスの設置場所とを加味して、優先利用希望者が希望する条件に合ったトレーラーハウスを特定するようにした。これによって、牽引時の移動時間が最短になるもの、移動距離が最短になるもの、移動経路が最適なものなど、トレーラーハウスを牽引するときの事情を加味して、最適なトレーラーハウスを特定することができる。
【００８０】
（６）制御装置２０３は、所有者端末３００から優先利用契約承認情報を受信したときに、トレーラーハウスを現在の設置場所から移動先へ牽引するための牽引車両を手配するための手配情報を作成し、作成した手配情報をトレーラーハウスを牽引するための牽引車両の所有者が所持する牽引車両所有者端末へ送信するようにした。これによって、トレーラーハウスを移動先へ移動させるための牽引車両の手配を自動的に行うことができる。例えば、通常時は、トレーラーハウスを山村の滞在型市民農園に設置して、滞在施設として提供し、緊急時には、優先利用者によって指定された利用場所へトレーラーハウスを移動させるように、牽引車両を手配することができる。
【００８１】
（７）制御装置２０３は、所有者端末３００から利用契約承認情報を受信したときに、利用契約の締結が承認された利用希望者の利用者端末４００へ、利用契約の締結が承認されたことを通知するようにした。これによって、利用希望者は、所有者によって、自身の利用契約の申し込みが承認されたことを把握することができる。
【００８２】
（８）制御装置２０３は、所有者端末３００から優先利用契約承認情報を受信したときに、優先利用契約の締結が承認された優先利用希望者の優先利用者端末５００へ、優先利用契約の締結が承認されたことを通知するようにした。これによって、優先利用希望者は、所有者によって、自身の優先利用契約の申し込みが承認されたことを把握することができる。
【００８３】
―変形例―
なお、上述した実施の形態の施設利用契約管理システム１００は、以下のように変形することもできる。
（１）上述した実施の形態では、利用者と所有者との間で取り交わされた契約の内容には、そのトレーラーハウスに対する優先利用希望者が現れた際に、所有者が優先利用希望者にトレーラーハウスの利用を認めた場合には、利用者との間の契約を解除して、優先利用希望者と契約を締結することに同意する旨の契約事項が特約として含まれていることを前提とし、制御装置２０３は、所有者端末３００から優先利用契約承認情報を受信したときに、対象となるトレーラーハウスに既に利用契約が締結された利用者が存在する場合には、そのトレーラーハウスに対する利用者の設定を解除するとともに、優先利用契約の締結が承認された優先利用希望者を優先利用者に設定して利用契約情報を更新するようにした。しかしながら、所有者は、上述したトレーラーハウスに関する情報の登録を行う際に、トレーラーハウスにごとに、上記の特約を利用者に必ず要求するのか、利用者が特約に同意するか否かを選択できるようにするのかを指定できるようにしてもよい。この場合は、制御装置２０３は、優先利用者端末５００から、優先利用希望者が希望するトレーラーハウスの条件が指定された優先利用希望情報を受信して優先利用希望者からのトレーラーハウスの優先利用契約の申し込みを受け付けたときに、利用者が契約時に特約に同意することを選択していたトレーラハウスを対象として、優先利用希望者が希望する条件に合ったトレーラーハウスを特定するようにすればよい。これによって、所有者によって、上記の特約を利用者に必ず要求するように指定されたトレーラーハウスに対しては、上述した実施の形態における処理を実行することができ、所有者によって、利用者が特約に同意するか否かを選択できるように指定されたトレーラーハウスの場合は、利用者が契約時に特約に同意することを選択していた場合にのみ、上述した実施の形態における処理を実行することができる。
【００８４】
（２）上述した実施の形態では、制御装置２０３は、所有者端末３００から利用契約承認情報を受信した場合には、利用契約の締結が承認された利用希望者を、利用契約の締結が承認されたトレーラーハウスの利用者に設定し、その設定内容を示す利用契約情報を記録装置２０４に記録する例について説明した。しかしながら、利用希望者を利用者に設定するための処理の流れは、これに限定されない。例えば、制御装置２０３は、所有者端末３００から利用契約承認情報を受信した場合には、利用契約の申込内容や利用契約が締結した際に支払う費用の見積内容といった情報を含んだ確認情報を作成して記録装置２０４へ記録するとともに、この確認情報を閲覧するためのリンクを貼ったメールを利用契約の締結が承認された利用希望者の利用者端末４００へ送信するようにしてもよい。この場合、利用者端末４００の制御装置は、利用希望者がリンクから確認情報にアクセスして内容を確認し、最終的にその内容に同意する旨の応答をしたときに、同意したことを示す情報を施設利用契約管理装置２００へ送信し、施設利用契約管理装置２００では、記録装置２０３は、この情報を受信したときに、利用契約の締結が承認された利用希望者を、利用契約の締結が承認された滞在型施設の利用者に設定し、その設定内容を示す利用契約情報を記録装置２０４に記録するようにすればよい。これによって、利用契約を正式に締結する前に、利用希望者は、申し込み内容や費用の見積り内容を確認することができる。なお、制御装置２０３は、利用希望者を利用者に設定して利用契約情報を記録装置２０４に記録した場合には、自動で利用契約書を作成して利用者端末４００へ送信するようにしてもよい。この処理は、制御装置２０３が、所有者端末３００から優先利用契約承認情報を受信した場合に、優先利用希望者を優先利用者に設定する場合にも同様に適用することができる。
【００８５】
（３）上述した実施の形態では、制御装置２０３は、所有者端末３００から優先利用契約承認情報を受信した場合には、優先利用契約の締結が承認された優先利用希望者を優先利用者に設定して利用契約情報を更新するようにした。そして、制御装置２０３は、優先利用契約の締結が承認されたトレーラーハウスに既に利用契約が締結された利用者が存在する場合には、そのトレーラーハウスに対する利用者の設定を解除した上で優先利用契約の締結が承認された優先利用希望者を優先利用者に設定するようにした。このとき、制御装置２０３は、利用者のトレーラーハウスの利用契約を解除するに当たって、その利用者の利用者端末４００へ契約解除に関する覚書や、契約解除に伴う費用清算のための清算書を送付するようにしてもよい。また、優先利用者に設定した優先利用者の優先利用者端末５００に対しては、自動的に優先利用契約書を作成して送信するようにしてもよい。
【００８６】
（４）上述した実施の形態では、制御装置２０３は、所有者端末３００から優先利用契約承認情報を受信したときに、トレーラーハウスを現在の設置場所から優先利用者が希望する設置場所へ牽引するために、牽引車両の手配を行うための手配情報を作成して、牽引車両の所有者が所持する牽引車両所有者端末へ送信するようにした。この場合、制御装置２０３は、優先利用者端末５００へ、手配情報に含まれる移動予定日を送信して、優先利用者にトレーラーハウスが新たな設置場所へ移送される日を通知するようにしてもよい。また、制御装置２０３は、牽引車両の整備を依頼するための情報を車両整備会社の端末へ送信して車両の整備を手配してもよいし、トレーラーハウスのセキュリティシステムを管理するセキュリティ会社の端末へ、優先利用者の情報や新たな設置場所を示す情報を送信して、セキュリティ会社での管理情報の変更を手配するようにしてもよい。
【００８７】
（５）上述した実施の形態では、制御装置２０３は、所有者端末３００から利用契約承認情報を受信して利用契約情報を記録装置２０４に記録するに当たり、利用者に対して、利用者を一意に特定するための情報である利用者ＩＤを発行する例について説明した。また、制御装置２０３は、所有者端末３００から優先利用契約承認情報を受信して優先利用契約情報を記録装置２０４に記録するに当たり、優先利用者に対して、優先利用者を一意に特定するための情報である優先利用者ＩＤを発行する例について説明した。しかしながら、制御装置２０３は、利用希望者と優先利用希望者から、事前に利用希望者または優先利用希望者としてのユーザ登録を受け付けるようにし、ユーザ登録を受け付けた段階で利用者ＩＤと優先利用者ＩＤとを発行するようにしてもよい。この場合、利用希望者は、利用契約の申し込みを行うに当たり、事前に、発行済みの利用者ＩＤを用いて、利用者端末４００上で施設利用契約管理システム１００にログインしておく必要がある。また、優先利用希望者は、優先利用契約の申し込みを行うに当たり、事前に、発行済みの優先利用者ＩＤを用いて、優先利用者端末５００上で施設利用契約管理システム１００にログインしておく必要がある。
【００８８】
（６）上述した実施の形態では、施設利用契約管理システム１００を利用して管理する滞在型施設は、車両によって牽引されることにより移動が可能な移動型滞在施設であるトレーラーハウスとした。しかしながら、上述した実施の形態における処理により、利用希望者と優先利用希望者による契約の申し込みを受け付けることが可能な滞在施設、宿泊施設、店舗、事務所などの用途に利用できる滞在型施設であれば、対象はトレーラーハウスに限定されない。
【００８９】
（７）上述した実施の形態では、利用者や優先利用者は、トレーラーハウスの所有者との間で利用契約や優先利用契約を締結する例について説明した。しかしながら、所有者は、施設利用契約管理装置２００の管理者にトレーラーハウスの運用を委託することができることとし、この場合は、利用者や優先利用者は、施設利用契約管理装置２００の管理者との間でトレーラーハウスの利用契約や優先利用契約を締結するようにしてもよい。例えば、所有者が、上述した所有者登録画面上で所有者登録を行う際に、所有者端末３００の制御装置は、所有者登録画面上にトレーラーハウスの運用委託契約の内容を提示して所有者からの同意を求め、所有者がこれに同意した場合に、所有者登録情報を施設利用契約管理装置２００へ送信して、所有者の登録を要求するようにすればよい。
【００９０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００９１】
１００  施設利用契約管理システム
２００  施設利用契約管理装置
２０１  操作部材
２０２  接続ＩＦ
２０３  制御装置
２０４  記録装置
３００  所有者端末
４００  利用者端末
５００  優先利用者端末
【要約】      （修正有）【課題】滞在型施設の利用契約管理装置を提供する。【解決手段】施設利用契約管理装置２００は、滞在型施設の所有者と、滞在型施設の情報とを関連付けて記録した滞在型施設情報記録手段と、滞在型施設の利用を希望する利用者端末から、利用を希望する滞在型施設を特定するための情報を受信して、滞在型施設の利用契約の申し込みを受け付ける利用契約申し込み受付手段と、利用契約承認情報が受信された場合に、利用契約の締結が承認された利用希望者を記録する利用契約情報記録手段と、優先利用希望者端末から優先利用希望情報を受信して、優先利用契約の申し込みを受け付ける優先利用契約申し込み受付手段と、所有者端末から、優先利用契約の申し込みに対して、優先利用契約承認情報受信手段と、優先利用契約承認情報が受信された場合に、優先利用契約の締結が承認された優先利用希望者を優先利用者に設定して、利用契約情報を更新する手段とを備える。【選択図】図１【図１】
0005512025.tif 000002
【図２】
0005512025.tif 000003
【図３】
0005512025.tif 000004
【図４】
0005512025.tif 000005
【図５】
0005512025.tif 000006